(57)【要約】  本発明は、光伝送ネットワーク（ＯＴＮ）の技術的領域に関連するとともに、ＯＴＮ上の動的同期転送モード（ＤＴＭ）を伝送するための方法を開示する。最初の、指定されたＤＴＭのタイムスロットレートに適応されたクライアント信号は、中間データフレーム内の対応するタイムスロット位置にマッピングされるとともに、前記中間データフレームのフォーマット内の信号が生成される。前記中間データフレームは、ＤＴＭフレームのそれと同一の反復周期、及びＯＴＮフレーム内のペイロード区域のそれと同一レートを具備する。次に、前記中間データフレームのフォーマット内の信号は、前記ＯＴＮフレームにマッピングされる。さらに、本発明は、また、ＯＴＮ上でＤＴＭを伝送するための装置と、光クロス接続（ＯＸＣ）装置と、上記のマッピング装置を採用する光アドドロップ多重化器（ＯＡＤＭ）とを開示する。ＤＴＭの本発明によって構成されるＯＴＮへのマッピングの前記方法は、中間データフレームを通したＤＴＭのＯＴＮへのマッピングのための従来の方法と比較してコストを節約する。
2009528731.tif 000002
【特許請求の範囲】
【請求項１】
光伝送ネット上で動的同期転送モードを伝送するための方法であり、
指定された動的同期転送モードのタイムスロットレートに適応されたクライアント信号を、中間データフレーム内の対応するタイムスロット位置にマッピングする段階と、
前記中間データフレームのフォーマット内の信号を生成する段階と、
前記中間データフレームのフォーマット内の信号を光伝送ネットフレームにマッピングする段階と、
を具備し、
前記中間データフレームは、動的同期転送モードフレームの反復周期と同一の反復周期と、光伝送ネットフレーム内のペイロード区域のレートに同一レートとを具備することを特徴とする方法。
【請求項２】
前記中間データフレームのフォーマット内の信号を前記光伝送ネットフレームにマッピングする段階は、
前記中間データフレームのフォーマット内の信号を光チャネルデータ単位にマッピングする段階と、光チャネルデータユニットｋ信号を生成する段階と、
前記光チャネルデータ単位の信号を、光チャネル伝送ユニットｋフォーマット内の信号にパッケージングする段階と、
を具備することを特徴とする請求項１に記載の光伝送ネット上で動的同期転送モードを伝送するための方法。
【請求項３】
前記中間データフレーム構造内のタイムスロット分割単位は、前記ＤＴＭフレーム構造内の動的同期転送モードタイムスロット分割単位に等しい又はより大きいことを特徴とする請求項１に記載の光伝送ネット上で動的同期転送モードを伝送するための方法。
【請求項４】
前記中間データフレーム構造内の前記タイムスロット分割単位は、６４ビットであることを特徴とする請求項３に記載の光伝送ネット上で動的同期転送モードを伝送するための方法。
【請求項５】
前記中間データフレーム構造は、オーバーヘッドタイムスロット部分及びデータタイムスロット部分を具備するとともに、前記オーバーヘッドタイムスロット部分は、フレーム同期タイムスロット及び制御タイムスロットを具備することを特徴とする請求項１に記載の光伝送ネット上で動的同期転送モードを伝送するための方法。
【請求項６】
クライアント信号の元のレートは、高速イーサネット（登録商標）、ギガビットイーサネット（登録商標）、企業システム接続、同期デジタルヒエラルキー、又は独立同期デジタルヒエラルキーを具備することを特徴とする請求項１に記載の光伝送ネット上で動的同期転送モードを伝送するための方法。
【請求項７】
前記中間データフレームは光チャネルペイロード支流（ｔｒｉｂｕｔａｒｙ）ユニットｋフレームであり、ここで、異なるＫの値は異なるレートレベルに対応するとともに、前記光伝送ネットフレームは実質的に前記光チャネルペイロード支流ユニットｋと同一レートレベルでの光伝送ネットフレームであることを特徴とする請求項１から６のいずれか１項に記載の光伝送ネット上で動的同期転送モードを伝送するための方法。
【請求項８】
前記光チャネルペイロード支流ユニットｋフレームは、Ｘ＊２７０＊９バイトのサイズを具備し、Ｘは、Ｋ＝１のときＸ＝１６であり、Ｋ＝２のときＸ＝６４であり、Ｋ＝３のときＸ＝２５６である前記光チャネルペイロード支流ユニットｋのレートレベルを表すことを特徴とする請求項７に記載の光伝送ネット上で動的同期転送モードを伝送するための方法。
【請求項９】
光伝送ネット上で動的同期転送モードを伝送する装置であり、
指定された動的同期転送モードのタイムスロットレートにクライアント信号を適応するように構成される適応モジュールと、
中間データフレームのフォーマット内の信号を生成するように、前記適応モジュールによって適応された前記クライアント信号を、前記中間データフレーム内の対応するタイムスロット位置にマッピングするように構成された中間データフレームモジュールと、
前記中間データフレームのフォーマット内の信号を、前記光伝送ネットフレームにマッピングするように構成されていることを特徴とする光伝送ネットライン処理モジュールと、
を具備し、
前記中間データフレームは、動的同期転送モードフレームの反復周期に同一の反復周期と、光伝送ネットフレーム内のペイロード区域のレートに同一レートとを具備することを特徴とする装置。
【請求項１０】
前記中間データフレーム構造内のタイムスロット分割単位は、前記動的同期転送モードフレーム構造内の動的同期転送モードタイムスロット分割単位よりも等しい又はより大きいことを特徴とする請求項９に記載の装置。
【請求項１１】
前記中間データフレームは、オーバーヘッドタイムスロット部分及びデータタイムスロット部分を具備するとともに、前記オーバーヘッドタイムスロット部分は、フレーム同期タイムスロット及び制御タイムスロットを具備することを特徴とする請求項９に記載の装置。
【請求項１２】
前記光伝送ネットライン処理モジュールは、
光チャネルデータユニットｋ信号を生成するように、前記中間データフレームのフォーマット内の信号を、光チャネルペイロードユニットｋにマッピングするように構成された、光チャネルデータユニットｋ副モジュールと、
前記光チャネルデータユニットｋ信号を、光チャネル伝送ユニットｋフォーマット信号にパッケージングするように構成された、光チャネル伝送ユニットｋ副モジュールと、
を具備することを特徴とする請求項９に記載の装置。
【請求項１３】
前記中間データフレームは、光チャネルペイロード支流ユニットｋフレームであり、ここで異なるＫの値は、異なるレートレベルに対応するとともに、前記光伝送ネットフレームは、実質的に、光チャネルペイロード支流ユニットｋと同一レートレベルでの光伝送ネットフレームであることを特徴とする請求項９から１２のいずれか１項に記載の装置。
【請求項１４】
前記中間データフレームモジュール及び前記光伝送ネットライン処理モジュールの間に結合された動的同期転送モードクロス接続モジュールをさらに具備するとともに、前記中間データフレームのフォーマット内の信号上で同期クロス接続を実行するように構成されることを特徴とする請求項９から１２のいずれか１項に記載の装置。
【請求項１５】
光クロス接続装置であり、波長多重化器及び波長逆多重化器を具備し、前記光クロス接続装置は、前記波長多重化器及び前記波長逆多重化器に結合された、請求項９から１２のいずれか１項に記載の光伝送ネット上で動的同期転送モードを伝送するための装置をさらに具備し、前記装置の出力信号は前記波長多重化器の入力信号であるとともに、前記波長逆多重化器の出力信号は前記マッピング装置の入力信号であることを特徴とする光クロス接続装置。
【請求項１６】
前記マッピング装置は、前記中間データフレームモジュール及び前記光伝送ネットライン処理モジュールの間に結合された動的同期転送モードクロス接続モジュールをさらに具備するとともに、前記中間データフレームのフォーマット内の信号上で同期クロス接続を実行するように構成されることを特徴とする請求項１５に記載の光クロス接続装置。
【請求項１７】
光アドドロップ多重化器であり、
互いに結合された波長多重化／逆多重化モジュール及び光アドドロップ多重化モジュールを具備し、前記光アドドロップ多重化器は、前記波長多重化／逆多重化モジュールに結合された請求項９から１２のいずれか１項に記載の光伝送ネット上で動的同期転送モードを伝送するための装置をさらに具備し、前記装置の出力信号は前記波長多重化／逆多重化モジュールの入力信号であるとともに、前記波長多重化／逆多重化モジュールの反転出力信号は、前記装置の反転入力信号であることを特徴とする光アドドロップ多重化器。
【請求項１８】
前記マッピング装置は、前記中間データフレームモジュール及び前記光伝送ネットライン処理モジュールの間に結合される動的同期転送モードクロス接続モジュールをさらに具備し、前記中間データフレームのフォーマット内の信号上で同期クロス接続を実行するように構成されることを特徴とする請求項１７に記載の光アドドロップ多重化器。
【発明の詳細な説明】
【技術分野】
【０００１】
この出願は、「Ｍｅｔｈｏｄ  ａｎｄ  Ｄｅｖｉｃｅ  ｆｏｒ  Ｍａｐｐｉｎｇ  ＤＴＭ  ｔｏ  ＯＴＮ」という名称が付されるとともに、２００６年３月３日に中華人民共和国特許庁に出願された、中国特許出願第２００６１００５９３３６．０号の優先権を主張する。その開示の全体は、引用によって本願に組み込まれる。
【０００２】
本発明は、光伝送ネット（ＯＴＮ）技術に関連するとともに、より詳細には、ＯＴＮ上で動的同期転送モード（ＤＴＭ）を伝送するための方法、装置、及び応用装置に関連する。
【背景技術】
【０００３】
次世代ネットワークは、高効率伝送及びパフォーマンス監視能力、及び最適可用性及び生存性を要求する。同期光ネットワーク／同期デジタルヒエラルキー（ＳＯＮＥＴ／ＳＤＨ）は、時分割多重（ＴＤＭ）ベースのサービスで、その保有利点を具備するとともに、都市区域ネットワーク（ＭＡＮ）で重要な役割を演じている。しかしながら、種々の制限のために、ＳＯＮＥＴ／ＳＤＨが、インターネット及びデータサービスの連続な開発に沿って現行の都市ＯＴＮの要件を満足することは困難である。従って、ネットワーク拡張性及び管理可能性の要件を満足するために、新しいネットワーク解決法が要求される。Ａｎ  Ｉｎｔｅｒｎａｔｉｏｎａｌ Ｔｅｌｅｃｏｍｍｕｎｉｃａｔｉｏｎｓ  Ｕｎｉｏｎ−Ｔｅｌｅｃｏｍｍｕｎｉｃａｔｉｏｎｓ  Ｓｔａｎｄａｒｄｉｚａｔｉｏｎ  Ｓｅｃｔｉｏｎ (ＩＴＵ−Ｔ) Ｇ．７０９ベースのＯＴＮは、要求として出現する。Ｇ．７０９は、デジタルラッパー上に焦点を当てる。デジタルラッパーは、クライアント信号をフレームのペイロード単位に包むために、特定のフレームフォーマットを構築するとともに、フレームヘッダに動作、管理、維持、及びプロヴィジョニング（ＯＡＭ＆Ｐ）のためのオーバーヘッド（ＯＨ）バイト、及びフレーム終端部に前方誤り訂正（ＦＥＣ）バイトを構成する。前記デジタルラッパーは、前記ＯＴＮ内の監視パフォーマンスの問題が容易に解決されるように、クライアント信号の光チャネル層のＯＨをサポートし、前記光チャネルの再生成要件に、完全な考察をもたらすとともに、チャネルに関連付けられたＯＨの伝送と、種々のサービスのアクセスの利便性とをサポートしても良い。それに加えて、ＦＥＣ技術の導入は、前記クライアント信号の誤り率のパフォーマンスを効果的に改善し、光電交換上の光ネットワークの需要を低減するとともに、さらに、前記ネットワーク構築コストを実質的に低減しうる。
【０００４】
図１は、ＯＴＮ規格フレームのフォーマットの説明図である。前記ＯＴＮ規格フレームは、４本のローと、４０８０本のカラムとからなるフォーマット内であることが理解されうる。ヘッダの１６カラムはＯＨバイトであり、終端部の２５５カラムはＦＥＣ検査バイトであるとともに、中間の３８０８カラムはペイロードである。前記ヘッダの前記ＯＨバイトの周囲では、第１ローの第１から第７カラムはフレーム配列信号（ＦＡＳ）である。第８から第１４バイトは、光チャネル伝送ユニットｋ（ＯＴＵＫ）のＯＨバイトであり、異なるＫの値は、異なるレートの伝送モードに対応する。第２から第４ローの第１から第１４カラムは、光チャネルデータユニットｋ（ＯＤＵＫ）のＯＨバイトである。第１５から第１６カラムは、光チャネルペイロードユニットｋ（ＯＰＵＫ）のＯＨバイトである。前記ＦＡＳの第７バイトは、多重ユーザサービス信号が、ＴＤＭを使用して搬送されるときに、ＯＨ配置を指示するように構成される多フレーム配列信号（ＭＦＡＳ）である。
【０００５】
前記ＯＴＵＫ  ＯＨバイトは、前記ＯＴＮ内の再増幅、再生、及びリタイミング（３Ｒ）再生成ノードの間の信号伝送状態を監視するための機能を構成し、３つの部分、即ち、セクション監視（ＳＭ）のＯＨバイトと、一般的通信チャネル０（ＧＣＣ０）端末の間の通信チャネルのＯＨバイトと、将来の国際規格のために予約されるバイト（ＲＥＳ）とを具備する。
【０００６】
前記ＯＤＵＫ  ＯＨは、カスケード接続監視、エンドツーエンドチャネル監視、及びＯＰＵＫを通したクライアント信号適応を構成する。前記ＯＤＵＫは、上記の機能を達成するために充分なＯＨバイト（第２から第４ローの第１から第１４カラム）を構成し、経路監視（ＰＭ）ＯＨと、タンデム接続監視（ＴＣＭ）ＯＨと、一般的通信チャネル（ＧＣＣ）バイトＧＣＣ１及びＧＣＣ２  ＯＨと、自動保護切り替え及び保護制御チャネル（ＡＰＳ／ＰＣＣ）ＯＨバイトと、故障タイプ故障点（ＦＴＦＬ）情報と、実験（ＥＸＰ）ＯＨバイトとを具備する。
【０００７】
前記ＯＰＵＫは、前記クライアント信号によってマッピングされるペイロード（ＯＰＵ）と、前記ＯＰＵＫの特定のオーバーヘッド（ＯＰＵ  ＯＨ）とを具備する。前記ＯＨバイトは、ペイロード構造識別子（ＰＳＩ）、調節バイト、及びマッピング固有のオーバーヘッドを具備する。前記ＰＳＩは、それぞれ、ＭＦＡＳ命令の下で０−２５５の確率値（ｐｒｏｂａｂｌｅ  ｖａｌｕｅ）に対応し、０番目のバイトは、クライアント信号ペイロードタイプ（ＰＴ）であるとともに、その他は、将来の拡張のための予約（ＲＥＳ）バイトである。
【０００８】
現在、クライアント信号は、次の３つのモードで、前記ＯＴＮにマッピングされうる。（１）信号が前記ＯＰＵＫにマッピングされる、ＣＢＲ２Ｇ５、ＣＢＲ１０Ｇ、及びＣＢＲ４０Ｇのような定ビットレート（ＣＢＲ）（２）信号が前記ＯＰＵＫにマッピングされる非同期転送モード（ＡＴＭ）（ＡＴＭセルは、前記ＯＰＵＫにマッピングされるように、前記ＯＰＵＫのペイロード容量に合致する定常ビットストリームに多重化されるとともに、前記多重化の間に、アイドルセルを挿入する又はセルを捨てることによって、レートは調節される。）及び（３）フレーム信号が前記ＯＰＵＫにマッピングされる一般的フレーム手順（ＧＦＰ）（ＧＦＰフレームのマッピングは、アイドルフレームをパッケージング段階内で挿入することによって、前記ＯＰＵＫに合致する連続ビットストリームを達成する。）それに加えて、クライアント信号、テスト信号、及び共通クライアントのビットストリーム信号のような他の信号は、また、前記ＯＰＵＫにマッピングされても良い。
【０００９】
しかしながら、動的同期転送モード（ＤＴＭ）サービスのようないくつかの特別なサービスでは、ＯＴＮは、現在はＤＴＭサービスをマッピング及び透過的に伝送することが不可能である。
【００１０】
ＤＴＭサービスは、高品質伝送を構成する可能であるＥＴＳＩ規格の伝送技術である。ＴＤＭ実施例技術及びパケット実施例技術を組み合わせて、前記ＤＴＭサービスは、パケットネットワークが大きいバッファを必要とするとともに、実時間サービスのサービス品質（ＱｏＳ）を保証できない欠点を克服するとともに、ＴＤＭのＱｏＳ性能及びパケットネットワークの動的バンド幅配置能力を所有する。一方、ＤＴＭサービスは、実時間ブロードバンドサービス、種々のデータサービス、ビデオサービス、及びＴＤＭサービスの伝送をサポートし、マルチキャスト機能を構成するとともに、ＯＨを殆ど要求しない一方で最大伝送容量を達成する。
【００１１】
前記ＤＴＭは、機能及びパフォーマンスで、イーサネット（登録商標）伝送ネットワーク（ＥＴＮ）と競争しうる。ＥＴＮのような動的バンド幅能力に加えて、ＤＴＭは、ＴＤＭのような実時間サービスを、高品質を伴ってさらに伝送しうる。ＤＴＭは、同期及び非同期媒体アクセスモードの利点を統合することによって、動的資源配分を伴う高容量伝送ネットワークを構築するために、簡潔及び非ブロッキング特性と、回路切り替え技術内の実時間通信をサポートする能力とを、前記パケット実施例技術内の動的資源処理特性に組み合わせる。実質的に、前記ＤＴＭは、前記ＴＤＭの回路切り替え方法である。従って、前記ネットワークは、フロー内の変更に合致するとともに、要件に応じて２つのノードの間にバンド幅を配置しても良い。
【００１２】
前記ＤＴＭは、ＳＤＨ／ＳＯＮＥＴに類似にするフレーム構造を採用するとともに、前記ＤＴＭへの資源動的再配置を拡張する。ＳＤＨ／ＳＯＮＥＴと比較して、前記ＤＴＭは要件による回路又は種々のレートのチャネルを確立しても良く、かつ前記チャネル容量は、動作内のフロー特性とともに変化しても良い。環状又はバス構造内のノードの間の資源配分が変更可能であるので、未使用の資源は、より高い要件をもってノードに配置され、このようにして、自律的及び高度に効率的な動的インフラストラクチャを構成している。それに加えて、前記ＤＴＭは、ちょうどＡＴＭのように、多チャネルインターフェースを構成する重要な特徴を具備する。
【００１３】
前記ＤＴＭは、ＴＤＭ技術をベースとする。従って、任意のファイバチャネルの伝送容量は、細かい時間単位に分割される。合計チャネル容量は、１２５マイクロ秒の固定サイズをもってフレームに分割されるとともに、各フレームは、６４ビットのタイムスロットに再分割される。各フレームは、前記ビットレートに依存する特定数のタイムスロット（ビットストリーム）を具備する。例えば、２Ｇｂｐｓのビットストリームに対して、各フレームは、概ね３９００（２×１０９×１２５×１０−６／６４）タイムスロットを具備する。もし１２５マイクロ秒のフレーム長さ及び６４ビットのタイムスロットが採用されると、デジタル音声の伝送及び独立同期デジタルヒエラルキーは、容易に調節されうる。
【００１４】
各フレーム内のタイムスロットは、デジタルスロット及び制御スロットに区分されても良い。任意の時点で、タイムスロットは、デジタルスロット又は制御スロットのいずれかである。もし必要であれば、デジタルスロットは、制御スロットに変換されても良い。デジタルスロット及び制御スロットを書き込む特権は、前記チャネルの各ノード上に分配される。
【００１５】
前記ＤＴＭフレーム構造は、従来のＴＤＭシステム内のフレーム構造と異なる。図２を参照する。ＤＴＭフレーム構造の説明図が示される。前記ＤＴＭフレームは、受信端末が、クロック復元を成功裏に達成することを確実にするために、デジタルタイムスロットが続くフレーム開始識別子（ＳＯＦＩＤ）と、前記フレームの終端でのいくつかの充填パターンを具備する間隔とを具備する。フレーム長は１２５マイクロ秒であるとともに、繰り返し周波数は８ＫＨｚである。ｎｄａｔａは、タイムスロットの数を表すとともに、ｆｅｌｏｗ及びｆｅｈｉｇｈは、それぞれ、前記フレームの誤りの上下限を指示する。
【００１６】
現在、ＤＴＭは、ＥＴＳＩによって発行される、物理層プロトコルを具備する多くの規格と、ＤＴＭフレームをＳＤＨ仮想コンテナ（ＶＣ）に、ＳＤＨをＤＴＭにマッピングする、及びＭＰＬＳを前記ＤＴＭにマッピングする規格とを具備する。しかしながら、前記ＤＴＭ及びＯＴＮの間のマッピングに関する詳細は公開されていない。従来技術では、前記ＤＴＭからＯＴＮへのマッピングを実現するために、ＤＴＭは、最初にＳＤＨ  ＶＣ上で、かつ次いで前記ＯＴＮにマッピングされなければならない。
【００１７】
前記ＤＴＭを前記ＳＤＨにマッピングすることは、ＥＴＳＩによって既に確立された規格である。図３は、従来技術による、ＶＣ４／ＶＣ４−ＸＣ内のＤＴＭ配置の説明図である。図３から、第１部分は、ＯＨ区域であり、第２部分は、固定挿入区域であるとともに、第３部分はＤＴＭタイムスロット区域であることが理解されうる。１つのＶＣ４につき、３２×９＝２８８個のＤＴＭタイムスロットがある。
【００１８】
図４は、従来技術による、ＤＴＭタイムスロットからＳＤＨＶＣ４へのマッピングの説明図である。図４に示されるように、ＶＣ４内のＤＴＭのタイムスロットは、６５ビットである。Ｓビットは、固有の識別ビットである。Ｓビットが０のとき、データは伝送されるとともに、Ｓビットが１のとき、警報表示信号（ＡＩＳ）、ＩＤＬＥ、及びパフォーマンス監視情報のような、他の状態情報が伝送される。タイムスロットは６５ビットを具備するので、Ｓビットは、各８タイムスロットの後に、バイトの開始位置とともに配列する。前記ＤＴＭタイムスロットの同期化については、前記ＶＣの各ロー内の第１データバイトが同期開始点である。
【００１９】
前記ＤＴＭをＳＤＨに、かつ次いで前記ＯＴＮにマッピングする従来の方法は、次の段階を具備する。
【００２０】
１）ＶＣ４タイムスロットを分割するとともに、デジタルタイムスロットとして６５ＢＩＴを採用する。６４ＢＩＴは、デジタルビットであるとともに、１ビットは制御ビットである。各ローは、合計で３２タイムスロットを具備する。
【００２１】
２）支流ＤＴＭデータストリームを受信し、８Ｂ／１０Ｂライン符号化を除去するとともに、ＤＴＭフレームを回復する。
【００２２】
３）前記回復されたＤＴＭデータタイムスロットを、ＶＣ４によって分割された前記ＤＴＭタイムスロットにそれぞれマッピングし、次いで前記データタイムスロットの６４ビットを前記ＤＴＭタイムスロット内の対応する６４ビットデータ位置にマッピングするとともに、各Ｓビットを、対応するＳビット位置に設定及び書き込む。
【００２３】
４）前記ＶＣ４のペイロード区域内の第１カラムを、固定挿入バイトとして設定する。
【００２４】
５）各ロー内の第１データバイトとの同期化を実現することによってタイムスロット境界を区別し、第１データタイムスロットの開始点を発見するとともに、各６５ＢＩＴをＤＴＭタイムスロット位置として逐次的に設定する。
【００２５】
６）完全な同期伝送モジュールｎ（ＳＴＭ−Ｎ）信号を構成するとともに、ＳＴＭ―ＮをＯＴＮにマッピングする。
【００２６】
図５は、従来技術による、ＳＤＨ層を通したＯＴＮ内のトランス多重化（ＴＭＵＸ）装置へのＤＴＭのマッピングの構造図である。前記クライアント信号は、例えば、ギガビットイーサネット（登録商標）（ＧＥ）／高速イーサネット（登録商標）（ＦＥ）／企業システム接続（ＥＳＣＯＮ）、又はＴＤＭが、適応的プロトコルを通して、ＳＤＨ  ＶＣに適応される。前記ＳＤＨ  ＶＣは、次いで、ＳＴＭ−Ｎフォーマットに多重化されるとともに、前記ＳＴＭ−Ｎは、前記ＯＴＮ上で伝送されるように前記ＯＴＮ内でＯＤＵＫ及びＯＴＵＫをさらにマッピングする。
【００２７】
前記ＤＴＭを前記ＳＤＨに、かつ次いで前記ＯＴＮにマッピングする従来技術は、次の欠点を具備する。
【００２８】
１）バンド幅利用率が高くない。各層は、あまりに多くのＯＨを占有するので、ＯＴＮ上で伝送されるために、ＤＴＭは、ＳＤＨに、かつ次いでＯＴＮにマッピングされる必要がある。
【００２９】
２）ＳＤＨ層は追加されるとともに、前記ＳＤＨ上の処理は、比較的複雑である。それによって、全体の設計を実現するのが困難であるとともに、ハードウェアコストは高い。
【００３０】
３）ＤＴＭがファイババンド幅を最大限使用しうるという利点は、達成されえない。
【００３１】
上記に鑑み、ＤＴＭのＳＤＨ及び次いでＯＴＮへのマッピングの従来技術は、コストが高いとともに、バンド幅利用率が低いので、当業者は、低コストで、及び高バンド幅利用率とともにＤＴＭをＯＴＮにマッピングする技術を前進させることを渇望している。しかしながら、前記ＤＴＭフレーム構造は、周期として１２５マイクロ秒を伴うフレーム構造であるとともに、タイムスロットの数は、ラインレートに関連付けられる。前記ＯＴＮフレーム構造、例えば、（ＯＤＵ  ＯＨ及びＯＰＵＫを具備する）ＯＤＵＫは、前記ラインレートと独立の３８２４×４個のモジュール構成されたフレーム構造である。異なるレベルでのＯＤＵＫの周期は、前記レベルとともに変化する。例えば、前記ＯＤＵ１のフレーム周期は、ＯＤＵ２のそれよりも４倍より長いが、その構造は、なお３８２４×４バイトを具備する。従って、前記ＤＴＭのタイムスロットは、前記ＯＤＵＫのタイムスロット又はバイトに直接にはマッピングできず、かつ前記ＤＴＭを前記ＳＤＨにマッピングする技術は、前記ＯＴＮには適用できない。
【発明の開示】
【発明が解決しようとする課題】
【００３２】
従って、本発明は、コストを節約する一方で、ＤＴＭからＯＴＮへのマッピングを達成するように、光伝送ネットワーク（ＯＴＮ）上で動的同期転送モード（ＤＴＭ）を伝送するための、方法、マッピング装置及び応用装置を対象とする。
【課題を解決するための手段】
【００３３】
本発明の構成では、ＯＴＮ上でＤＴＭを伝送するための方法が構成される。前記方法は、次の段階を具備する。指定されたＤＴＭのタイムスロットレートに適応されたクライアント信号は、中間データフレーム内の対応するタイムスロット位置にマッピングされるとともに、前記中間データフレームのフォーマット内の信号が生成される。前記中間データフレームは、ＤＴＭフレームのそれと同一の反復周期、及びＯＴＮフレーム内のペイロード区域のそれと同一レートを具備する。後に、前記中間データフレームのフォーマット内の信号は、前記ＯＴＮフレームにマッピングされる。
【００３４】
本発明の他の構成では、ＯＴＮ上でＤＴＭを伝送するための装置が構成され、適応モジュール、中間データフレームモジュール、及びＯＴＮライン処理モジュールを具備する。適応モジュールは、クライアント信号を、指定されたＤＴＭタイムスロットレートに適応するように構成される。前記中間データフレームモジュールは、前記中間データフレームのフォーマット内の信号を生成するために、前記適応モジュールによって適応された前記クライアント信号を、前記中間データフレーム内の対応するタイムスロット位置にマッピングするように構成される。前記中間データフレームは、ＤＴＭフレームのそれと同一の反復周期、及びＯＴＮフレーム内のペイロード区域と同一レートを具備する。前記ＯＴＮライン処理モジュールは、前記中間データフレームのフォーマット内の信号を、前記ＯＴＮフレームにマッピングするように構成される。
【００３５】
本発明の他の構成では、光クロス接続（ＯＸＣ）装置が構成される。前記ＯＸＣ装置は、波長多重化器、波長逆多重化器、及びＯＴＮ上でＤＴＭを伝送するための前記波長多重化器及び前記波長逆多重化器に結合された装置を具備する。前記装置の出力信号は、波長多重化器の入力信号であるとともに、前記波長逆多重化器の出力信号は、前記マッピング装置の入力信号である。
【００３６】
本発明の他の実施形態では、光アドドロップ多重化器（ＯＡＤＭ）が構成される。ＯＡＤＭは、互いに結合された波長多重化／逆多重化モジュール及びＯＡＤＭモジュールと、ＯＴＮ上でＤＴＭを伝送するための波長多重化／逆多重化モジュールに結合された装置を具備する。前記装置の出力信号は、前記波長多重化／逆多重化モジュールの入力信号であるとともに、前記波長多重化／逆多重化モジュールの反転出力信号は、前記装置の反転入力信号である。
【００３７】
前記の技術的解決法によると、本発明の実施形態では、ＤＴＭは、ＤＴＭフレームのそれと同一の反復周期、及びマッピング媒体としてのＯＴＮフレーム内のペイロード区域のそれと同一のレートを具備する中間データフレームを採用することによってＯＴＮにマッピングされる。前記中間データフレームは、構造及び物理的実現の両方で、従来のＳＤＨ  ＶＣフレームよりもより簡潔であり、このようにしてコストを節約する。
【発明を実施するための最良の形態】
【００３８】
本発明の実施形態は、添付図面を参照して、以下で詳細に図説される。
【００３９】
ＯＤＵＫフレーム構造及びＤＴＭフレーム構造は、２つの異なるフレーム構造であるので、従来技術は、ＤＴＭタイムスロットをＯＤＵＫタイムスロット又はバイトに直接にマッピングすることはできない。
【００４０】
本発明は、２つのフレームフォーマットは、前記ＯＴＮと異なるＤＴＭフォーマットを伴うモジュール構成されたフレーム構造の中間データフレーム構造（又は中間副層）によって互いを直接に合致させることはできないという上記の問題を解決する。それによって、ＯＤＵＫは、前記ＤＴＭから前記ＯＴＮへの直接マッピングを実現するＤＴＭのラインレートとして採用される。
【００４１】
第１実施形態
【００４２】
最初に、本発明によって構成される、ＯＴＮ上でＤＴＭを伝送するための方法が、この実施形態内で説明される。
【００４３】
本発明のこの実施形態の中間データフレーム構造は、光チャネルペイロード支流ユニットｋ（ＯＰＴＵＫ）フレーム構造である。前記ＯＰＴＵＫフレーム構造は、（前記ＤＴＭフレームの反復周期と同一である）１２５マイクロ秒の反復周期を必要とする。即ち、繰り返し周波数は８ＫＨｚである。前記ＯＰＴＵＫフレーム構造は、光チャネルペイロード単位（ＯＰＵＫ）のそれと同一レートを具備する。異なるＫの値は、変化する公称ビットレートに対応する。例えば、ＯＰＴＵ１の公称ビットレートは、ＳＴＭ−１６のレートであり、ＯＰＴＵ２の公称ビットレートは、ＳＴＭ−６４のレートであるとともに、ＯＰＴＵ３の公称ビットレートは、ＳＴＭ−２５６のレートである。
【００４４】
図６は、この実施形態内の前記ＯＰＴＵＫの１本のロー内のフレーム構造図であるとともに、図７は、本発明によるＯＰＴＵ１のモジュール構成されたフレーム構造の説明図である。図７内のモジュール構成されたフレーム構造は、図６内に示されたフレームの９本のローを具備する。図内で示されるように、前記ＯＰＴＵＫのデータフレーム構造は、フレーム配列識別子及びペイロード区域を具備するとともに、タイムスロットは、６４ビット単位（即ち、前記ＤＴＭのタイムスロットのサイズ）で分割される。例えば、ＯＰＴＵ１データフレームは、１６×２７０×９バイトのサイズを伴う、９本のロー及び２７０×１６本のカラムを具備するとともに、１６＊２７０×９×８×８ｋＢＩＴ／ｓ＝２４８８．３２Ｍビット／秒のレートである。ＯＰＴＵ１は、各ロー内の４８６０／９＝５４０タイムスロットに対応する、全体で（１６×２７０×９×８）／６４＝４８６０個のＤＴＭタイムスロットを具備する。
【００４５】
４８６０個のタイムスロット内で、Ｎ個のタイムスロットは、ＯＨタイムスロットに指定され、前記Ｎ個のタイムスロットの中で１つのタイムスロットは、フレーム同期のために機能し、Ｎ−１個のタイムスロットのビットは、制御ビットとして機能するとともに、Ｎ−１個のフレームスロットの合計ビット数は、４８６０−Ｎ個のタイムスロットの数よりもより大きい又は等しい。これらの制御ビットは、例えば、タイムスロットがデータタイムスロット又は制御タイムスロットであるかのような、各タイムスロットの状態を指示するように構成される。前記制御タイムスロットは、アイドルタイムスロット、パフォーマンス監視タイムスロット、及びＡＩＳタイムスロットをさらに具備する。この実施形態は、前記ＶＣ内の前記ＤＴＭタイムスロットは６５ビットを具備するとともに、Ｓビットは制御ビットであることにおいて、ＶＣへのＤＴＭマッピングと異なる。一方で、この解決法では、制御ビットは、Ｎ−１個のＯＨタイムスロットに集中されるとともに、前記バイトが同期的であるときにタイムスロット位置を検索することが不要になるように前記タイムスロットは６４ビットを具備する。
【００４６】
この実施形態では、ＯＴＮ上でＤＴＭを伝送するための方法は、次の段階を具備する。
【００４７】
ａ．中間適応エンティティＯＰＴＵＫを構築すること。
適応エンティティは、９ライン及び２７０カラムを具備するとともに、Ｘ×２７０×９バイトのサイズを具備する。（Ｘは、前記ＯＰＴＵＫの公称ビットレートを表す。）前記エンティティは、１２５マイクロ秒の周期と、８ＫＢＩＴ／Ｓの繰り返し周波数とをさらに具備する。Ｋ＝１のときは、ＯＰＴＵ１のレートは、ＳＴＭ−１６の公称ビットレートであるとともに、前記エンティティのボリュームは、１６×２７０×９バイトである。同様に、ＯＰＴＵ２のレートは、ＳＴＭ−６４の公称ビットレートであるとともに、前記エンティティのボリュームは、６４×２７０×９バイトである。
【００４８】
ｂ．ＯＰＴＵＫのためのタイムスロットを、６４ビットの単位で分割すること。例えば、４８６０個のタイムスロットがＯＰＴＵ１のために分割されるとともに、各タイムスロットのレートは５１２ＫＢＩＴ／Ｓである。
【００４９】
ｃ．前記受信されたデータフレームを対応するタイムスロットにマッピングすること。前記データフレームは、イーサネット（登録商標）フレーム、ＭＰＬＳフレーム、又はＴＤＭフレームであっても良い。前記ＤＴＭタイムスロットは、前記クライアント信号の元のレートにより配置されるので、前記ＤＴＭタイムスロットの数に関連する合計レートは、対応するクライアント信号のレートよりもより大きい。
【００５０】
ｄ．フレーム同期タイムスロット及び制御タイムスロットを具備する、ＯＨタイムスロットを設定すること。前記フレーム同期タイムスロットは、また、例えば、Ｆ６及び２８のバイトと同一の、固定フォーマットを伴うフレーム配列バイト、又は例えば、ＧＦＰと同一の同期モードでの指示バイト及び検査バイトであっても良い。
【００５１】
ｅ．前記ＯＰＴＵＫフレームを、同一レベルでＯＤＵＫに透過的にマッピングすること。例えば、ＯＰＴＵ１をＯＤＵ１にマッピングし、又はＯＰＴＵ２をＯＤＵ２にマッピングするとともに、次いで、前記ライン上で伝送されるように前記ＯＤＵＫを前記ＯＴＵＫに適応する。前記ラインは、単波長ライン又は多波長ラインであっても良い。
【００５２】
上記の実施形態の処理は、次のように結論付けうる。第１に、指定されたＤＴＭタイムスロットレートに適応される前記クライアント信号は、対応するＯＰＴＵＫフレーム（中間データフレーム）のタイムスロット位置にマッピングされる。前記ＯＰＴＵＫフレームは、前記ＤＴＭフレームのそれと同一の反復周期、及び前記ＯＴＮフレーム内のペイロード区域のそれと同一レートを具備する。第２に、前記ＯＰＴＵＫフレームのフォーマット内の信号は、前記ＯＴＮフレームにマッピングされる。より詳細には、前記ＯＰＴＵＫのフォーマット内の信号は、ＯＤＵＫ信号を生成するようにＯＤＵＫにマッピングされるとともに、前記ＯＤＵＫ信号は、ＯＴＵＫフォーマット内の信号にパッケージングされる。それによって、前記ＤＴＭから前記ＯＴＮへのマッピングは完了される。
【００５３】
前記ＯＰＴＵＫフレーム内のタイムスロットは、前記ＤＴＭフレーム内のタイムスロットと完全に同一の（例えば６４ビット）の単位によって分割されうるのみならず、また、前記ＤＴＭフレーム内のタイムスロット分割単位よりも若干より大きくても良いことに留意すべきである。例えば、前記ＯＰＴＵＫフレームでは、タイムスロットは、６５ビットの単位によって分割される。
【００５４】
ＳＤＨ層を通して前記ＯＴＮにマッピングする従来の方法と比較すると、本発明は、ＳＤＨ層を、ＤＴＭフォーマット内の前記ＯＰＴＵＫ層と置換し、それによって、コストを節約するとともにブロードバンド利用率を向上するのみならず、また、ＳＤＨ層の複雑な処理を捨てる。従来技術では、前記ＶＣは、２Ｍの伝送のためのＶＣ１２、及び１４０Ｍの伝送のためのＶＣ４のような、いくつかの固定レートのみを具備する。このようにして、たとえ、前記ＤＴＭがＶＣより上（ＯＶＥＲ）であっても、それは、なお前記ＶＣ固有のレートによって制限される。伝送クライアントレートが１つのＶＣよりもより大きいならば、前記処理は、複雑になる。本発明の実施形態では、前記ＯＰＴＵＫフレームのレートは高い（例えば、数Ｇ）、及び小片は小さい（１つのＤＴＭタイムスロットのサイズは概ね５１２Ｋｂｐｓ）ので、この実施形態は、（前記ＤＴＭタイムスロットは、ＳＴＭ−Ｎに近いレートで直接に分割されるので）例えば２００Ｍ及び１．５Ｇ／２Ｇのより広範なクライアントレートでの信号伝送に適用可能である。
【００５５】
前記された方法は、共通ＯＴＮの前記ＯＰＵＫ内で前記ＤＴＭが直接に採用されることができないという技術的問題を解決する。それによって、そのような中間副層を通して、前記方法は、種々のサービスに良好に適用可能であるのみならず、また、前記ＯＰＵＫに対して便利に適応しうる。このようにして、前記ＯＴＮの応用範囲は拡張されるとともに、前記ＯＴＮのバンド幅利用及びクライアントアクセスは、より柔軟になる。
【００５６】
本発明の前記方法の上記の実施形態は、異なる装置を通して実施されても良く、かつ本発明による前記ＤＴＭを前記ＯＴＮにマッピングする装置の実施例は、次のように図説される。
【００５７】
第２実施形態
【００５８】
図８は、本発明の実施形態による、ＤＴＭをＯＴＮのＴＭＵＸにマッピングする構造的な説明図である。それは、透過的に伝送される全てのサービスを実現するための、透過的なＤＴＭ  ＴＭＵＸ構造である。いかなるデータサービス、ビデオサービス、又は従来のＴＤＭサービスも、全てが透過的に伝送されうる。ＭＡＣ透過性及びビット透過性の両方が、前記データサービスのために実現されても良い。図８内で示されるように、前記ＴＭＵＸは、適応モジュール、ＯＰＴＵＫモジュール、及びＯＴＮライン処理モジュールを具備する。
【００５９】
前記適応モジュールは、伝送方向内の前記クライアント信号の物理層の処理を終了するとともに、指定された容量をもって前記クライアント信号をＤＴＭタイムスロットレートに適応するように構成される。種々のデータサービスは、前記物理層の処理及びＧＦＰ又は他の適応プロトコルの適応の後に、特定数のＤＴＭタイムスロットのそれに等しいレートを取得する。例えば、ＧＥサービスは、ＧＥＰ適応の後に概ね１Ｇのレートを達成するとともに、概ね２０００個のＤＴＭタイムスロットを指定することによって、ＧＥのＭＡＣ透過型伝送を満足しても良い。又は、レート調節の後に、各ＴＤＭサービスは、特定数の前記ＤＴＭタイムスロットに等しいレートを具備する。例えば、ＳＴＭ−１信号は、伝送のために３０５個のＤＴＭタイムスロットを指定しても良い。前記ＴＤＭレート調節は、管理のために１つのＤＴＭタイムスロットを採用しても良く、かつこのタイムスロットは、正の調節制御、負の調節制御、及び負の調節機会を具備する調節制御タイムスロットである。当然、特別な状況の下では、もし前記データサービスもビット透過性を要求するならば、前記処理モードは、前記ＴＤＭサービスと同一である。前記適応モジュールは、前記適応プロトコルによってパッケージングされたフォーマット信号を、前記クライアント信号の元のフォーマットに回復するために、前記伝送方向のそれとは反対の受信方向内の機能を実施する。
【００６０】
前記ＯＰＴＵＫモジュールは、前記適応モジュールによって適応された全ての信号を、前記ＯＰＴＵＫの指定されたＤＴＭタイムスロット位置にマッピングするように構成される。前記ＤＴＭタイムスロットは、前記適応された信号を指定されたタイムスロットにマッピングすることによって多重化される。例えば、ＧＥは、ＧＦＰによって適応された後に、概ね２０００個のＤＴＭタイムスロットを占有し、ＥＳＣＯＮ信号は、前記ＧＦＰによって適応された後に、４００個のＤＴＭタイムスロットを占有するとともに、適応の後の全ての他のクライアント信号は、残りのＤＴＭタイムスロットをふさぐ。前記ＤＴＭタイムスロットは、前記ＯＰＴＵＫの全間隔を占有し、このようにして各クライアント信号のＤＴＭ多重化機能を実現する。前記多重化の後に、前記ＯＰＴＵＫフォーマット内の信号は、ＯＤＵＫ端末モジュールに伝送される。
【００６１】
前記ＯＰＴＵＫは、前記受信方向内で反対の機能を実施するとともに、前記ＯＰＴＵＫフォーマット内の信号からの各タイムスロットのデータストリームをパースするとともに、元の信号をさらにパースするために、前記データストリームを前記適応モジュールに伝送する。
【００６２】
前記ＯＴＮライン処理モジュールは、ＯＴＮ内にＯＰＵＫ、ＯＤＵＫ、及びＯＴＵＫフレーム化機能を具備する。この実施形態では、前記ＯＴＮライン処理モジュールは、ＯＤＵＫモジュール及びＯＴＵＫモジュールを具備する。
【００６３】
伝送方向内では、前記ＯＤＵＫモジュールは、前記ＯＰＴＵＫ信号を前記ＯＰＵＫペイロード区域にマッピングするのを完了し、前記ＯＤＵＫ  ＯＨを生成するとともに、前記ＯＨを前記ＯＴＵＫモジュールに伝送するように構成される。前記受信方向では、前記ＯＤＵＫモジュールは、前記ＯＤＵＫ  ＯＨを完了し、前記ＯＰＵＫペイロード区域からの前記ＯＰＴＵＫフォーマット内の信号をパースするとともに、前記信号を前記ＯＰＴＵＫモジュールに伝送する。
【００６４】
前記ＯＴＵＫモジュールは、前記ＯＤＵＫ信号の、伝送方向内のＯＴＵＫフォーマット内の信号へのパッケージングを完了する。前記処理は、ＯＴＵＫ  ＯＨを生成することと、ＦＥＣ信号を生成することと、電気光学変換の後に伝送すべきラインに前記ＯＴＵＫ内の信号を送信することとを具備する。さらに、前記ＯＴＵＫモジュールは、ＯＴＵＫ  ＯＨ及び前記受信方向内のＦＥＣの停止を完了する。
【００６５】
図８内に示された装置は、主に、前記ＯＰＴＵＫモジュールが、前記ラインレートに近いフォーマット内でバンド幅を配置するとともに、前記ＤＴＭの多重化を完了するように、前記ＳＤＨ  ＶＣ層の複雑な機能を置換することにおいて、従来技術（図５）とは異なる。それによって、前記装置は、より不規則なクライアントレートの伝送及び多重化に適用可能である。一方、複雑なポインタ処理及び前記ＳＤＨ層の固定レートレベルの制限なしに、前記回路実現はより簡潔になるとともに、その処理コストは低減される。前記された装置は、共通ＯＴＮのＯＰＵＫ内でＤＴＭを使用することができないという技術的問題を解決する。それによって、そのような中間副層のおかげで、前記装置は、種々のサービスに良好に適用可能であるのみならず、また、ＯＰＵＫに対して便利に適応しうる。このようにして、ＯＴＮの応用範囲は拡張されるとともに、前記ＯＴＮのバンド幅利用及びクライアントアクセスはより柔軟になる。
【００６６】
第３実施形態
【００６７】
図９は、本発明によって構成されるビルトインＤＴＭスケジューリング機能を伴う光クロス接続（ＯＸＣ）装置を示す。図９内で示されるように、前記ＯＸＣ装置は、適応モジュール、ＯＰＴＵＫモジュール、ＤＴＭクロス接続モジュール、ＯＴＮライン処理モジュール、及び波長多重化器及び波長逆多重化器の２つ又はそれ以上の組を具備する。
【００６８】
１）前記適応モジュールは、各クライアント信号を、伝送方向内の適応プロトコルを通して指定されたＤＴＭタイムスロットの信号レートに適応するように構成される。例えば、ＧＥ信号は、前記ＧＦＰプロトコルを通して、２０００個のＤＴＭタイムスロットによって表されるレートに適応され、１４０ＭのＴＤＭ信号は、ビット又はバイト挿入によって３００個のＤＴＭタイムスロットによって表されるレートに適応される。受信方向では、前記適応モジュールは、逆適用処理を完了するとともに、適応プロトコルフォーマットを具備するデータストリームから元クライアント信号フォーマットをパースする。
【００６９】
２）前記ＯＰＴＵＫモジュールは、前記適応モジュールによって適応される全ての信号を、伝送方向内の前記ＯＰＴＵＫの指定されたＤＴＭタイムスロット位置にマッピングするように構成される。前記ＤＴＭタイムスロットは、前記適応された信号を、指定されたタイムスロットにマッピングすることによって多重化される。例えば、ＧＥは、前記ＧＦＰによって適応された後に、概ね２０００個のＤＴＭタイムスロットを占有し、ＥＳＣＯＮ信号は、ＧＦＰによって適応された後に、４００個のＤＴＭタイムスロットを占有するとともに、適応の後の全ての他のクライアント信号は、残りのＤＴＭタイムスロットをふさぐ。前記ＤＴＭタイムスロットは、前記ＯＰＴＵＫの全間隔を占有し、このようにして、各クライアント信号の前記ＤＴＭ多重化機能を実現する。前記多重化の後に、前記ＯＰＴＵＫフォーマット内の信号は、前記ＤＴＭクロス接続モジュールに伝送される。
【００７０】
前記ＯＰＴＵＫは、前記受信方向内の反対の機能を実施し、前記ＯＰＴＵＫフォーマット内の信号からの適応フォーマットを伴う各タイムスロットのデータストリームをパースするとともに、元の信号をさらにパースするために、前記データストリームを前記適応モジュールに伝送する。
【００７１】
３）前記ＤＴＭクロス接続モジュールは、５１２Ｋの小片のクロス接続を実現するように構成される。それぞれ、前記ライン及び前記支流（局所的マッピング方向）からの前記ＯＰＴＵＫ信号は、前記ＤＴＭクロス接続モジュールに入力される。各ＯＰＴＵＫ信号は同期状態内にある。前記ＯＰＴＵＫの間の位相の差分は、同期クロス接続を達成するように、簡潔なフレーム調節回路によって調節される。
【００７２】
４）前記ＯＴＮライン処理モジュールは、前記ＯＴＮライン内にＯＰＵＫ、ＯＤＵＫ、及びＯＴＵＫフレーム化機能を具備する。伝送方向では、前記ＤＴＭのクロス接続から取得されたＯＰＴＵＫ信号は、エンドツーエンド管理を実現するために前記ＯＤＵＫ  ＯＨを生成するように、同一レートで前記ＯＰＵＫ信号にマッピングされる。低次ＯＤＵＫ信号は、ＦＥＣを具備する高次ＯＴＵＫ  ＯＨを生成するように、高次ＯＤＵＫ信号に多重化される。固定周波数を伴うカラフル波長は、電気光学変換によって達成される。前記ＤＴＭから前記ＯＴＮへのマッピング及びデマッピングも実現される。さらに、受信方向では、光電子工学的変換が達成され、前記ＯＴＵＫ及びＯＤＵＫ  ＯＨは終了されるとともに、前記ＯＰＴＵＫフォーマット内の信号は、パースされるとともに前記ＤＴＭクロス接続ネットワークに伝送される。
【００７３】
５）２つ又はそれ以上の波長多重化器及び波長逆多重化器が構成される。
【００７４】
前記波長多重化器は、光ラインモジュールから伝送される異なるカラフル波長上の波長分割多重化（ＷＤＭ）を実行するように適応される。要件に応じて、前記多重化された信号は、線路増幅器によってその電力が増幅されても良い。
【００７５】
前記波長逆多重化器は、前記ラインから受信された前記多重化された信号の波長を逆多重化するとともに、処理すべき光ラインユニットに単一の波長を出力するように適応される。
【００７６】
この部分の結果及び機能は、従来技術であるために、本願にて詳細には説明されない。
【００７７】
この実施形態は、前記実施形態と同一の効果を実現しうる。一方、前記ＯＴＮのチャネルは、前記ＤＴＭの５１２ｋの小片を採用することによって改良されるので、前記ラインのバンド幅利用率は、実質的に向上される。
【００７８】
第４実施形態
【００７９】
図１０は、本発明によって構成されるビルトインＤＴＭスケジューリング機能を伴う光アドドロップ多重化器（ＯＡＤＭ）の構造を示す。図１０内で示されるようにＯＡＤＭ構造は、適応モジュール、ＯＰＴＵＫモジュール、ＤＴＭクロス接続モジュール、ＯＴＮライン処理モジュール、波長多重化／逆多重化モジュール、及びＯＡＤＭモジュールを具備する。
【００８０】
１）前記適応モジュールは、各クライアント信号を、伝送方向内の適応プロトコルを通して、指定されたＤＴＭタイムスロットの信号レートに適応するように構成される。例えば、ＧＥ信号は、前記ＧＦＰプロトコルを通して２０００個のＤＴＭタイムスロットによって表されるレートを適応し、１４０ＭのＴＤＭ信号は、ビット又はバイト挿入によって、３００個のＤＴＭタイムスロットによって表されるレートに適応される。受信方向内で、前記適応モジュールは、逆適用処理を完了するとともに、適応プロトコルフォーマットを具備するデータストリームからの元のクライアント信号フォーマットをパースする。
【００８１】
２）前記ＯＰＴＵＫモジュールは、前記適応モジュールによって適応される全ての信号を、伝送方向内の前記ＯＰＴＵＫの指定されたＤＴＭタイムスロット位置にマッピングするように構成される。前記ＤＴＭタイムスロットは、前記適応された信号を、指定されたタイムスロットにマッピングすることによって多重化される。例えば、ＧＥは、前記ＧＦＰによって適応された後に、概ね２０００個のＤＴＭタイムスロットを占有し、ＥＳＣＯＮ信号は、ＧＦＰによって適応された後に、４００個のＤＴＭタイムスロットを占有するとともに、適応の後の全ての他のクライアント信号は、残りのＤＴＭタイムスロットをふさぐ。前記ＤＴＭタイムスロットは、前記ＯＰＴＵＫの全間隔を占有し、このようにして、各クライアント信号のＤＴＭ多重化機能を実現する。前記多重化の後に、前記ＯＰＴＵＫフォーマット内の信号は、前記ＤＴＭクロス接続モジュールに伝送される。
【００８２】
前記ＯＰＴＵＫは、前記受信方向内の反対の機能を実施し、前記ＯＰＴＵＫモジュールは前記ＯＰＴＵＫフォーマット内の信号からの適応フォーマットをもって各タイムスロットのデータストリームをパースするとともに、元の信号をさらにパースするために前記データストリームを前記適応モジュールに伝送する。
【００８３】
３）前記ＤＴＭクロス接続モジュールは、５１２ｋの小片のクロス接続を実現するように構成される。それぞれ、前記ライン及び支流（局所的マッピング方向）からの前記ＯＰＴＵＫ信号は、前記ＤＴＭクロス接続モジュールに入力されるＯＰＴＵＫ信号は、同期状態にある。ＯＰＴＵＫの間の位相の差分は、同期クロス接続を達成するように、簡潔なフレーム調節回路によって調節される。
【００８４】
４）前記ＯＴＮ処理モジュールは、前記ＯＴＮライン内のＯＰＵＫ、ＯＤＵＫ、及びＯＴＵＫフレーム化機能を具備する。伝送方向内では、前記ＤＴＭのクロス接続から取得された前記ＯＰＴＵＫ信号は、エンドツーエンド管理を実現するために前記ＯＤＵＫ  ＯＨを生成するように、同一レートで前記ＯＰＵＫ信号にマッピングされる。低次ＯＤＵＫ信号は、ＦＥＣを具備する高次ＯＴＵＫ  ＯＨを生成するように、高次ＯＤＵＫ信号に多重化される。固定周波数を伴うカラフル波長は、電気光学的変換によって達成される。前記ＤＴＭから前記ＯＴＮへのマッピング及びデマッピングも実現される。さらに、受信方向内で、光電子工学的変換は達成され、ＯＴＵＫ及びＯＤＵＫ  ＯＨは終了されるとともに、ＯＰＴＵＫフォーマット内の信号はパースされるとともに、前記ＤＴＭクロス接続ネットワークに伝送される。
【００８５】
５）前記波長多重化／逆多重化モジュールは、バンドの単一波長への逆多重化、又は局所的波長のバンドへの多重化を達成するように構成される。
【００８６】
６）前記ＯＡＤＭモジュールは、少なくとも前置増幅器、電力増幅器、及び波長ブロック（ＷＢ）モジュールを具備する。要求された波長は、前記ＷＢモジュールを通して、前記波長多重化／逆多重化モジュールに送出される。一方、前記多重化のアップリンクバンドは、前記ラインに多重化される。
【００８７】
この実施形態は、また、上記実施形態と同一の効果を達成しうる。
【００８８】
上記に鑑み、本発明によって構成される、ＯＴＮ上でＤＴＭを伝送するための装置及び方法の実施形態は、次の有効性を具備する。
【００８９】
１）ＤＴＭは直接ＯＴＮ上にありえないというマッピングの問題は解決される。ＤＴＭの５１２ｋの小片は、前記ＯＴＮチャネルを改良するように採用されているので、前記ラインバンド幅利用率は、実質的に向上される。この技術は、従来のＴＭＵＸを改善するために適応されるとともに、ＤＷＤＭ及びＯＴＮ製品に適用されても良く、かつ任意の副レートで任意のサービスの透過的な伝送を実現しても良い。一方、この技術は、ＤＴＭからＶＣ、次いでＳＴＭ−Ｎ及びさらにＯＴＮにマッピングする方法よりも明白に多くのバンド幅を節約するとともに、追加の複雑なＯＨ及びＳＤＨ層のポインタ処理を必要とせず、このようにして処理コストを低減する。
【００９０】
２）本発明は、種々のサービスに適用可能であるとともに、強力なサービス適応性を具備する。一方、本発明は、種々のデータサービス、ビデオサービス、及びＴＤＭサービスのための高いＱｏＳの実時間伝送を達成し、適応的なサービスの範囲及びＯＴＮのための副レートを拡張するとともに、任意のレートでの無段階適応を実現する。
【００９１】
３）本発明の前記装置は、従来のＴＤＭ交換面を置換する、又はデータ面の機能をシミューレートするために、ＯＸＣ又はＯＡＤＭ内に構築される。それによって、統一された面スケジューリング機能は、実際に実現されるとともに、前記装置コスト及び管理での困難さは、両方とも低減される。
【００９２】
本発明の図説及び説明は、本発明の代表的実施形態を参照して与えられたが、当業者は、特許請求の範囲によって定義された、この開示の趣旨及び範囲から逸脱することなく、形態及び詳細での種々の変更がなされうることを理解すべきである。
【図面の簡単な説明】
【００９３】
【図１】図１は、従来技術によるＯＴＮフレーム構造の説明図である。
【図２】図２は、従来技術によるＤＴＭフレーム構造の説明図である。
【図３】図３は、従来技術によるＶＣ４／ＶＣ４−ＸＣ内のＤＴＭ配置の説明図である。
【図４】図４は、従来技術によるＤＴＭタイムスロットのＳＤＨＶＣ４へのマッピングの説明図である。
【図５】図５は、従来技術によるＴＭＵＸ装置の構造の説明図である。
【図６】図６は、本発明の実施形態による、ＯＰＴＵＫのロー内のフレーム構造の説明図である。
【図７】図７は、本発明の実施形態によるＯＰＴＵ１のモジュール構成されたフレーム構造の説明図である。
【図８】図８は、本発明の実施形態による、ＤＴＭからＯＴＮのＴＭＵＸへのマッピングの構造的な説明図である。
【図９】図９は、本発明の他の実施形態による、ＯＴＮのＯＸＣ装置へのＤＴＭのマッピングの構造的な説明図である。
【図１０】図１０は、本発明の他の実施形態による、ＯＴＮのＯＡＤＭ装置へのＤＴＭのマッピングの構造的な説明図である。
【符号の説明】
【００９４】
ＯＤＵＫ  光チャネルデータユニットｋ
ＯＴＵＫ  光チャネル伝送ユニットｋ
ＤＴＭ  動的同期転送モード
ＴＤＭ  時分割多重
ＳＤＨ  同期デジタルヒエラルキー
ＧＥ  ギガビットイーサネット（登録商標）
ＦＥ  高速イーサネット（登録商標）
ＥＳＣＯＮ  企業システム接続
【図１】
2009528731.tif 000003
【図２】
2009528731.tif 000004
【図３】
2009528731.tif 000005
【図４】
2009528731.tif 000006
【図５】
2009528731.tif 000007
【図６】
2009528731.tif 000008
【図７】
2009528731.tif 000009
【図８】
2009528731.tif 000010
【図９】
2009528731.tif 000011
【図１０】
2009528731.tif 000012
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
光伝送ネット上で動的同期転送モードを伝送するための方法であり、
指定された動的同期転送モードのタイムスロットレートに適応されたクライアント信号を、中間データフレーム内の対応するタイムスロット位置にマッピングする段階と、
前記中間データフレームのフォーマット内の信号を生成する段階と、
前記中間データフレームのフォーマット内の信号を光伝送ネットフレームにマッピングする段階と、
を具備し、
前記中間データフレームは、動的同期転送モードフレームの反復周期と同一の反復周期と、光伝送ネットフレーム内のペイロード区域のレートに同一レートとを具備することを特徴とする方法。
【請求項２】
前記中間データフレームのフォーマット内の信号を前記光伝送ネットフレームにマッピングする段階は、
前記中間データフレームのフォーマット内の信号を光チャネルデータ単位にマッピングする段階と、光チャネルデータユニットｋ信号を生成する段階と、
前記光チャネルデータ単位の信号を、光チャネル伝送ユニットｋフォーマット内の信号にパッケージングする段階と、
を具備することを特徴とする請求項１に記載の光伝送ネット上で動的同期転送モードを伝送するための方法。
【請求項３】
前記中間データフレーム構造内のタイムスロット分割単位は、ＤＴＭフレーム構造内の動的同期転送モードタイムスロット分割単位に等しい又はより大きいことを特徴とする請求項１に記載の光伝送ネット上で動的同期転送モードを伝送するための方法。
【請求項４】
前記中間データフレーム構造内の前記タイムスロット分割単位は、６４ビットであることを特徴とする請求項３に記載の光伝送ネット上で動的同期転送モードを伝送するための方法。
【請求項５】
前記中間データフレーム構造は、オーバーヘッドタイムスロット部分及びデータタイムスロット部分を具備するとともに、前記オーバーヘッドタイムスロット部分は、フレーム同期タイムスロット及び制御タイムスロットを具備することを特徴とする請求項１に記載の光伝送ネット上で動的同期転送モードを伝送するための方法。
【請求項６】
クライアント信号の元のレートは、高速イーサネット（登録商標）、ギガビットイーサネット（登録商標）、企業システム接続、同期デジタルヒエラルキー、又は独立同期デジタルヒエラルキーを具備することを特徴とする請求項１に記載の光伝送ネット上で動的同期転送モードを伝送するための方法。
【請求項７】
前記中間データフレームは光チャネルペイロード支流（ｔｒｉｂｕｔａｒｙ）ユニットｋフレームであり、ここで、異なるＫの値は異なるレートレベルに対応するとともに、前記光伝送ネットフレームは実質的に前記光チャネルペイロード支流ユニットｋと同一レートレベルでの光伝送ネットフレームであることを特徴とする請求項１から６のいずれか１項に記載の光伝送ネット上で動的同期転送モードを伝送するための方法。
【請求項８】
前記光チャネルペイロード支流ユニットｋフレームは、Ｘ＊２７０＊９バイトのサイズを具備し、Ｘは、Ｋ＝１のときＸ＝１６であり、Ｋ＝２のときＸ＝６４であり、Ｋ＝３のときＸ＝２５６である前記光チャネルペイロード支流ユニットｋのレートレベルを表すことを特徴とする請求項７に記載の光伝送ネット上で動的同期転送モードを伝送するための方法。
【請求項９】
光伝送ネット上で動的同期転送モードを伝送する装置であり、
指定された動的同期転送モードのタイムスロットレートにクライアント信号を適応するように構成される適応モジュールと、
中間データフレームのフォーマット内の信号を生成するように、前記適応モジュールによって適応された前記クライアント信号を、前記中間データフレーム内の対応するタイムスロット位置にマッピングするように構成された中間データフレームモジュールと、
前記中間データフレームのフォーマット内の信号を、前記光伝送ネットフレームにマッピングするように構成されていることを特徴とする光伝送ネットライン処理モジュールと、
を具備し、
前記中間データフレームは、動的同期転送モードフレームの反復周期に同一の反復周期と、光伝送ネットフレーム内のペイロード区域のレートに同一レートとを具備することを特徴とする装置。
【請求項１０】
前記中間データフレーム構造内のタイムスロット分割単位は、前記動的同期転送モードフレーム構造内の動的同期転送モードタイムスロット分割単位よりも等しい又はより大きいことを特徴とする請求項９に記載の装置。
【請求項１１】
前記中間データフレームは、オーバーヘッドタイムスロット部分及びデータタイムスロット部分を具備するとともに、前記オーバーヘッドタイムスロット部分は、フレーム同期タイムスロット及び制御タイムスロットを具備することを特徴とする請求項９に記載の装置。
【請求項１２】
前記光伝送ネットライン処理モジュールは、
光チャネルデータユニットｋ信号を生成するように、前記中間データフレームのフォーマット内の信号を、光チャネルペイロードユニットｋにマッピングするように構成された、光チャネルデータユニットｋ副モジュールと、
前記光チャネルデータユニットｋ信号を、光チャネル伝送ユニットｋフォーマット信号にパッケージングするように構成された、光チャネル伝送ユニットｋ副モジュールと、
を具備することを特徴とする請求項９に記載の装置。
【請求項１３】
前記中間データフレームは、光チャネルペイロード支流ユニットｋフレームであり、ここで異なるＫの値は、異なるレートレベルに対応するとともに、前記光伝送ネットフレームは、実質的に、光チャネルペイロード支流ユニットｋと同一レートレベルでの光伝送ネットフレームであることを特徴とする請求項９から１２のいずれか１項に記載の装置。
【請求項１４】
前記中間データフレームモジュール及び前記光伝送ネットライン処理モジュールの間に結合された動的同期転送モードクロス接続モジュールをさらに具備するとともに、前記中間データフレームのフォーマット内の信号上で同期クロス接続を実行するように構成されることを特徴とする請求項９から１２のいずれか１項に記載の装置。
【請求項１５】
光クロス接続装置であり、波長多重化器及び波長逆多重化器を具備し、前記光クロス接続装置は、前記波長多重化器及び前記波長逆多重化器に結合された、請求項９から１２のいずれか１項に記載の光伝送ネット上で動的同期転送モードを伝送するための装置をさらに具備し、前記装置の出力信号は前記波長多重化器の入力信号であるとともに、前記波長逆多重化器の出力信号は前記装置の入力信号であることを特徴とする光クロス接続装置。
【請求項１６】
前記装置は、前記中間データフレームモジュール及び前記光伝送ネットライン処理モジュールの間に結合された動的同期転送モードクロス接続モジュールをさらに具備するとともに、前記中間データフレームのフォーマット内の信号上で同期クロス接続を実行するように構成されることを特徴とする請求項１５に記載の光クロス接続装置。
【請求項１７】
光アドドロップ多重化器であり、
互いに結合された波長多重化／逆多重化モジュール及び光アドドロップ多重化モジュールを具備し、前記光アドドロップ多重化器は、前記波長多重化／逆多重化モジュールに結合された請求項９から１２のいずれか１項に記載の光伝送ネット上で動的同期転送モードを伝送するための装置をさらに具備し、前記装置の出力信号は前記波長多重化／逆多重化モジュールの入力信号であるとともに、前記波長多重化／逆多重化モジュールの反転出力信号は、前記装置の反転入力信号であることを特徴とする光アドドロップ多重化器。
【請求項１８】
前記装置は、前記中間データフレームモジュール及び前記光伝送ネットライン処理モジュールの間に結合される動的同期転送モードクロス接続モジュールをさらに具備し、前記中間データフレームのフォーマット内の信号上で同期クロス接続を実行するように構成されることを特徴とする請求項１７に記載の光アドドロップ多重化器。
【手続補正２】
【補正対象書類名】明細書
【補正対象項目名】００８４
【補正方法】変更
【補正の内容】
【００８４】
４）前記ＯＴＮ処理ラインモジュールは、前記ＯＴＮライン内のＯＰＵＫ、ＯＤＵＫ、及びＯＴＵＫフレーム化機能を具備する。伝送方向内では、前記ＤＴＭのクロス接続から取得された前記ＯＰＴＵＫ信号は、エンドツーエンド管理を実現するために前記ＯＤＵＫ  ＯＨを生成するように、同一レートで前記ＯＰＵＫ信号にマッピングされる。低次ＯＤＵＫ信号は、ＦＥＣを具備する高次ＯＴＵＫ  ＯＨを生成するように、高次ＯＤＵＫ信号に多重化される。固定周波数を伴うカラフル波長は、電気光学的変換によって達成される。前記ＤＴＭから前記ＯＴＮへのマッピング及びデマッピングも実現される。さらに、受信方向内で、光電子工学的変換は達成され、ＯＴＵＫ及びＯＤＵＫ  ＯＨは終了されるとともに、ＯＰＴＵＫフォーマット内の信号はパースされるとともに、前記ＤＴＭクロス接続ネットワークに伝送される。
【国際調査報告】
2009528731.tif 000013
2009528731.tif 000014
2009528731.tif 000015
2009528731.tif 000016